Podtech/llm-jp-corpus-v4-ja_patent huggingface dataset:
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009538873.tif 000001
［式中：
Ｒ１はハロ、ＣＦ３またはＯＣＦ３を表し；
Ｒ４はハロを表し；
Ｒ２およびＲ３の一方はメチルを表し、もう一方は−（ＣＨ２）ｎＯＨまたは−ＨＣ＝Ｎ−ＯＲ５を表し；
Ｒ５はＨまたはＣ１−４アルキルを表し；
ｎは１〜４を表す］
で示される化合物またはその医薬上許容される誘導体。
【請求項２】
Ｒ１がＢｒ、Ｃｌ、Ｆ、ＣＦ３またはＯＣＦ３を表す、請求項１記載の化合物またはその医薬上許容される誘導体。
【請求項３】
Ｒ４がＢｒまたはＣｌを表す、請求項１または請求項２記載の化合物またはその医薬上許容される誘導体。
【請求項４】
Ｒ２およびＲ３の一方がメチルを表し、もう一方が−（ＣＨ２）ｎＯＨを表し、ｎが１〜４を表す、前記の請求項のいずれかに記載の化合物またはその医薬上許容される誘導体。
【請求項５】
Ｒ３がメチルを表し、Ｒ２が−（ＣＨ２）ｎＯＨを表し、ｎが１〜４を表す、前記の請求項のいずれかに記載の化合物またはその医薬上許容される誘導体。
【請求項６】
Ｒ５がＨまたはメチルを表す、前記の請求項のいずれかに記載の化合物またはその医薬上許容される誘導体。
【請求項７】
ｎが１または３を表す、前記の請求項のいずれかに記載の化合物またはその医薬上許容される誘導体。
【請求項８】
化合物が、
３−クロロ−６−（ヒドロキシメチル）−２−メチル−５−［４−（｛４−［（トリフルオロメチル）オキシ］フェニル｝オキシ）フェニル］−４（１Ｈ）−ピリジノン；
３−クロロ−６−（ヒドロキシメチル）−２−メチル−５−［４−（｛４−［（トリフルオロメチル）オキシ］フェニル｝オキシ）フェニル］−４（１Ｈ）−ピリジノン；
３−クロロ−２−（ヒドロキシメチル）−６−メチル−５−［４−（｛４−［（トリフルオロメチル）オキシ］フェニル｝オキシ）フェニル］−４（１Ｈ）−ピリジノン；
３−クロロ−２−（ヒドロキシメチル）−６−メチル−５−（４−｛［３−（トリフルオロメチル）フェニル］オキシ｝フェニル）−４（１Ｈ）−ピリジノン；
５−クロロ−６−メチル−４−オキソ−３−［４−（｛４−［（トリフルオロメチル）オキシ］フェニル｝オキシ）フェニル］−１，４−ジヒドロ−２−ピリジンカルバルデヒド  オキシム；
５−クロロ−６−メチル−４−オキソ−３−［４−（｛４−［（トリフルオロメチル）オキシ］フェニル｝オキシ）フェニル］−１，４−ジヒドロ−２−ピリジンカルバルデヒド−Ｏ−メチルオキシム；
３−クロロ−６−メチル−４−オキソ−５−［４−（｛４−［（トリフルオロメチル）オキシ］フェニル｝オキシ）フェニル］−１，４−ジヒドロ−２−ピリジンカルバルデヒド  オキシム；および
３−クロロ−６−（３−ヒドロキシプロピル）−２−メチル−５−［４−（｛４−［（トリフルオロメチル）オキシ］フェニル｝オキシ）フェニル］−４（１Ｈ）−ピリジノンからなる群より選択される、請求項１記載の化合物、またはその医薬上許容される誘導体。
【請求項９】
３−クロロ−６−（ヒドロキシメチル）−２−メチル−５−［４−（｛４−［（トリフルオロメチル）オキシ］フェニル｝オキシ）フェニル］−４（１Ｈ）−ピリジノンである化合物。
【請求項１０】
薬物療法に用いるための請求項１〜９のいずれか１項に記載の化合物またはその医薬上許容される誘導体。
【請求項１１】
マラリアの治療のための医薬の製造における請求項１〜９のいずれか１項に記載の化合物またはその医薬上許容される誘導体の使用。
【請求項１２】
マラリアが、プラスモジウム・ファルシパルム感染によって引き起こされる請求項１１記載の使用。
【請求項１３】
マラリアに罹患しているヒトまたは動物対象の治療方法であって、該ヒトまたは動物対象に有効量の請求項１〜９のいずれか１項に記載の化合物またはその医薬上許容される誘導体を投与することを含む、方法。
【請求項１４】
マラリアが、プラスモジウム・ファルシパルム感染によって引き起こされる請求項１３記載の使用。
【請求項１５】
請求項１〜９のいずれか１項に記載の化合物またはその医薬上許容される誘導体ならびに１種または複数の医薬上許容される担体および／または賦形剤を含む医薬組成物。
【請求項１６】
請求項１記載の式Ｉの化合物の調製方法であって、
（Ａ）Ｒ１がハロ、ＣＦ３またはＯＣＦ３を表す、式ＩＩの化合物をハロゲン供与体と反応させるか；
【化２】
2009538873.tif 000002
または
（Ｂ）Ｒ１がフルオロ、クロロ、ＣＦ３またはＯＣＦ３を表す、式ＸＶの化合物をハロゲン供与体と反応させるか；
【化３】
2009538873.tif 000003
または
（Ｃ）適当な塩基の存在下において、Ｒ１がハロ、ＣＦ３またはＯＣＦ３を表し、Ｒ４がハロを表す、式ＸＸの化合物を、Ｒ５がＨまたはＣ１−３アルキルを表す、ＮＨ２ＯＲ５．ＨＣｌと反応させるか；
【化４】
2009538873.tif 000004
または
（Ｄ）適当な塩基の存在下において、Ｒ１がハロ、ＣＦ３またはＯＣＦ３を表し、Ｒ４がハロを表す、式ＸＸＩの化合物を、Ｒ５がＨまたはＣ１−３アルキルを表す、ＮＨ２ＯＲ５．ＨＣｌと反応させるか；
【化５】
2009538873.tif 000005
または
（Ｅ）適当な触媒の存在下において、Ｒ１がフルオロ、クロロ、ＣＦ３またはＯＣＦ３を表し、Ｒ４がハロを表す、式ＸＸＩＩの化合物を、水素化反応に付す；
【化６】
2009538873.tif 000006
ことを含む、方法。
【請求項１７】
Ｒ１がハロ、ＣＦ３またはＯＣＦ３を表す、式ＩＩの化合物の調製方法であって、適当な条件下で、式ＸＸＩＶの化合物を還元的開環に付し、次いで、中間体エナミンを環化することによる、方法。
【化７】
2009538873.tif 000007
【請求項１８】
式ＸＸＩＶの化合物が、式ＸＸＶの化合物をアシル化することによって調製される、請求項１７記載の方法。
【化８】
2009538873.tif 000008
【手続補正２】
【補正対象書類名】明細書
【補正対象項目名】０００６
【補正方法】変更
【補正の内容】
【０００６】
ＰＣＴ特許出願ＷＯ  ９１／１３８７３  Ａ１は、原虫に対する、特に、マラリア原虫プラスモジウム・ファルシパルム、およびアイメリア属ならびに寄生生物ニューモシスティス・カリニに対する活性を示す、一群の４−ピリドン誘導体を開示する。本発明に記載の化合物は、ＷＯ  ９１／１３８７３  Ａ１に具体的に開示される化合物より改善された特性を示すことが見出されている。
【手続補正３】
【補正対象書類名】明細書
【補正対象項目名】００３３
【補正方法】変更
【補正の内容】
【００３３】
本発明の化合物が、異なる互変異性型として存在しうることは明らかであろう。特に、式Ｉの化合物は、以下のとおり４−ピリジノール互変異性型で存在しうる：
【化２】
2009538873.tif 000009
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
クルミの単離抽出物を得る方法であって、
ｉ）原材料としてのクルミの未熟果を採取する工程、
ｉｉ）抽出のための原材料を用意する工程、
ｉｉｉ）前記工程で用意された原材料を凍結する工程、
ｉｖ）乾燥する工程、
ｖ）抽出する工程であって、前記乾燥する工程で得られた乾燥させた塊を細かく砕き、１/２〜１/５の重量/体積比でアルコールを添加し、１０分未満の時間で抽出する工程、
ｖｉ）濾過する工程、及び
ｖｉｉ）最終包装する工程、
からなることを特徴とする方法。
【請求項２】
前記（ｉｉ）抽出のための原材料を用意する工程が、機械的清浄、水洗浄及び空気乾燥を含む、請求項１に記載の方法。
【請求項３】
前記（ｉｉｉ）凍結する工程が、７０時間〜１７０時間、凍結チャンバ内で前記クルミを−１８℃〜−２０℃の温度に維持することを含む、請求項１に記載の方法。
【請求項４】
前記（ｉｖ）乾燥する工程が、初めに前記凍結クルミの殻を２ｍｍ〜３ｍｍの薄層に剥き、その後１０％未満の湿度が得られるまで乾燥させることを含む、請求項１に記載の方法。
【請求項５】
アルコールがエチルアルコール（９６％）である、請求項１に記載の方法。
【請求項６】
アルコールが１／３の重量／体積比である、請求項１に記載の方法。
【請求項７】
抽出時間が５分未満である、請求項１に記載の方法。
【請求項８】
抽出時間が２分未満である、請求項７に記載の方法。
【請求項９】
抽出物の濾過工程が、一次浄化濾紙で行い、その後、薄孔の殺菌濾紙で行われる、請求項１に記載の方法。
【請求項１０】
ウイルス疾患、真菌疾患、及び細菌疾患の治療用の薬剤の製造に使用する、請求項１〜９のいずれか一項に記載の方法によって得られた単離抽出物からなる組成物。
【請求項１１】
ウイルス疾患、真菌疾患、及び細菌疾患を同時に治療するための薬剤の製造のための、請求項１〜９のいずれか一項に記載の方法によって得られた単離抽出物の使用。
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
トラベレータ、動く歩道またはエスカレータ等が駆動装置と、手すりベルトを備えた少なくとも１つの手すりとを含み、該駆動装置は少なくとも、駆動モータと、該手すりベルトの支持部材と、該駆動モータの回転運動を該支持部材へつなぐ駆動ベルトとを含む駆動装置の構造において、前記支持部材は、前記駆動ベルトによって使用されるよう配設された実質的に大径の支持用ホイールであり、該駆動ベルトは、前記支持部材の縁に取り付けられることを特徴とする駆動装置の構造。
【請求項２】
請求項１に記載の構造において、前記支持部材の半径は、該支持部材の部分における手すりベルトのループの接触面である内面の湾曲部の半径と実質的に同じか、または該半径よりもせいぜい前記駆動ベルトの厚さ分だけ小さいことを特徴とする駆動装置の構造。
【請求項３】
請求項１または２に記載の構造において、駆動ベルトは前記支持部材の縁へ取り付けられて、該駆動ベルトの外面は前記手すりベルトの内面と摩擦接触することを特徴とする駆動装置の構造。
【請求項４】
請求項１または２に記載の構造において、前記支持部材の外縁は前記手すりベルトの内面と摩擦接触することを特徴とする駆動装置の構造。
【請求項５】
前記請求項のいずれかに記載の構造において、前記支持用ホイールは連結要素を含み、該連結要素にある前記駆動ベルトは、該駆動ベルトを定位置へ配置することに関連して、前記連結要素に連結されることを特徴とする駆動装置の構造。
【請求項６】
請求項５に記載の構造において、前記連結要素は設置溝であり、該溝は前記支持用ホイールの縁から実質的に内側へ延在し、該溝に対して前記駆動ベルトは、該駆動ベルトを定位置へ配置することに関連して、取り付けられることを特徴とする駆動装置の構造。
【請求項７】
トラベレータ、動く歩道、エスカレータ等の駆動装置において、該トラベレータ等に含まれる手すりの手すりベルトの該駆動ベルトを交換する方法において、前記駆動装置は少なくとも、駆動モータと、手すりベルトと、支持部材と、駆動モータの回転運動を該支持部材へつなげる駆動ベルトとを含み、該方法は、前記駆動ベルトを定位置へ配置するに際して、該駆動ベルトを前記支持部材へ取り付け、該駆動ベルトが該支持部材の周囲に配されるまで、該支持部材をその回転軸を中心として回転させることを特徴とする手すりの手すりベルトの駆動ベルトを交換する方法。
【請求項８】
請求項７に記載の方法において、前記支持部材で設置溝を前記駆動ベルトの連結要素として用い、該駆動ベルトを定位置へ配置するに際して、前記駆動ベルトを前記設置溝に取り付けることを特徴とする駆動ベルトを交換する方法。
【請求項９】
請求項７または８に記載の方法において、前記駆動ベルトを定位置へ配置するに際して、該駆動ベルトを連結要素として機能する設置溝へ案内して、前記支持部材の縁へ、実質的には該支持部材の周囲へ案内することを特徴とする駆動ベルトを交換する方法。
【請求項１０】
トラベレータ、動く歩道、エスカレータ等の手すりの手すりベルトの支持用ホイールである支持部材において、該支持用ホイールは、前記駆動ベルトを定位置に配置するに際して、該支持用ホイールにある該駆動ベルトを該支持用ホイールの縁へつないで設置する連結要素を含むことを特徴とする支持部材。
【請求項１１】
請求項１０に記載の支持部材において、前記連結要素は設置溝であり、該溝は前記支持用ホイールの縁から実質的に内側へ延在し、前記駆動ベルトを定位置に配置するに際して、該駆動ベルトは該溝に取り付けられることを特徴とする支持部材。
【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
必要性がある対象の狭窄性弁膜症の予防、制御又は治療用薬剤の製造に脂質逆輸送アゴニストを使用する方法。
【請求項２】
請求項１に記載の方法において、前記脂質輸送アゴニストがコレステロール逆輸送アゴニストであることを特徴とする方法。
【請求項３】
請求項１に記載の方法において、前記狭窄性弁膜症が大動脈弁狭窄症であることを特徴とする方法。
【請求項４】
請求項１に記載の方法において、前記狭窄性弁膜症が石灰化弁狭窄症であることを特徴とする方法。
【請求項５】
請求項１に記載の方法において、前記脂質逆輸送アゴニストが、高比重リポタンパク質（ＨＤＬ）、ＨＤＬ様生理作用を有するペプチド、脂質と複合したＨＤＬ様生理作用を有するペプチド、ＨＤＬ模倣剤、コレステリルエステル輸送タンパク質（ＣＥＴＰ）モジュレータ、スカベンジャー受容体クラスＢメンバー１（ＳＲＢ１）モジュレータ、肝臓Ｘ受容体／レチノイドＸ受容体（ＬＸＲ／ＲＸＲ）アゴニスト、ＡＴＰ結合カセット輸送体１（ＡＢＣＡ１）アゴニスト、ペルオキシソーム増殖因子活性化受容体（ＰＰＡＲ）アゴニスト、又は、アポリポタンパク質Ａ−１（ＡｐｏＡ−１）模倣ペプチド／リン脂質複合体であることを特徴とする方法。
【請求項６】
請求項１に記載の方法において、前記脂質逆輸送アゴニストが、アポリポタンパク質Ａ−１（ＡｐｏＡ−１）模倣ペプチド／リン脂質複合体であることを特徴とする方法。
【請求項７】
請求項６に記載の方法において、前記アポリポタンパク質Ａ−１が、ＳＥＱ ＩＤ ＮＯ：１の配列を有するペプチドであることを特徴とする方法。
【請求項８】
請求項６に記載の方法において、前記リン脂質が、エッグスフィンゴミエリン又は１，２−ジパルミトイル−ｓｎ−グリセロ−３−ホスホコリン（ＤＰＰＣ）であることを特徴とする方法。
【請求項９】
請求項６に記載の方法において、前記ＡｐｏＡ−１模倣ペプチドが、エッグスフィンゴミエリン及び１，２−ジパルミトイル−ｓｎ−グリセロ−３−ホスホコリン（ＤＰＰＣ）によって複合体形成されていることを特徴とする方法。
【請求項１０】
請求項９に記載の方法において、前記エッグスフィンゴミエリンと、前記１，２−ジパルミトイル−ｓｎ−グリセロ−３−ホスホコリン（ＤＰＰＣ）とが１：１の重量比で存在することを特徴とする方法。
【請求項１１】
請求項６に記載の方法において、前記アポリポタンパク質Ａ−１（ＡｐｏＡ−１）模倣ペプチド／リン脂質複合体が、ＳＥＱ ＩＤ ＮＯ：１の配列を有するペプチドと、エッグスフィンゴミエリンと、１，２−ジパルミトイル−ｓｎ−グリセロ−３−ホスホコリン（ＤＰＰＣ）とを含むことを特徴とする方法。
【請求項１２】
請求項１１に記載の方法において、前記ＳＥＱ ＩＤ ＮＯ：１の配列を有するペプチドと、前記エッグスフィンゴミエリンと、前記１，２−ジパルミトイル−ｓｎ−グリセロ−３−ホスホコリン（ＤＰＰＣ）とが１：１：１の比率で存在することを特徴とする方法。
【請求項１３】
請求項１に記載の方法において、前記薬剤が、狭窄性弁膜症を予防することを特徴とする方法。
【請求項１４】
請求項１に記載の方法において、前記薬剤が、狭窄性弁膜症を抑制することを特徴とする方法。
【請求項１５】
請求項１に記載の方法において、前記薬剤が、狭窄性弁膜症を治療することを特徴とする方法。
【請求項１６】
請求項１に記載の方法において、前記薬剤が、狭窄性弁膜症を回復させることを特徴とする方法。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
以下の式Ｉの化合物或いはその塩又は溶媒和物であって、当該化合物がイメージング成分で標識されている、化合物。
【化１】
2009538894.tif 000001
式中、
Ｒ1は水素、Ｃ1-6アルキル、Ｃ1-6チオアルキル、Ｃ1-6アルコキシ及びハロゲンから選択され、
Ｒ2及びＲ3は独立に水素、Ｃ1-6アルキル、Ｃ1-6チオアルキル、Ｃ1-6アルコキシ及びハロゲンから選択され、
Ｒ4及びＲ5は独立に水素、Ｃ1-6アルキル及びＣ1-6フルオロアルキルから選択されるか、或いはこれらが結合したＺ基と共に、Ｎ、Ｓ及びＯから選択されるヘテロ原子を適宜含む適宜置換された三員乃至六員脂肪族環を形成し、
Ｘ及びＺは独立にＣＨ及びＮから選択され、
ＹはＯ、Ｓ、ＮＨ、ＣＨ＝ＣＨ、２−Ｓ及びＮ−Ｃ1-6アルキルから選択される。
【請求項２】
Ｒ1が水素及びハロゲンから選択され、
Ｒ2及びＲ3が独立に水素、Ｃ1-6アルキル及びハロゲンから選択され、
Ｒ4及びＲ5が独立に水素、Ｃ1-4アルキル及びＣ1-3フルオロアルキルから選択されるか、或いはこれらが結合したＺ基と共に、Ｎをヘテロ原子として含む適宜置換された三員乃至六員脂肪族環を形成し、
ＸがＣＨ及びＮから選択され、
ＹがＣＨ＝ＣＨ又は２−Ｓであり、
ＺがＮである、請求項１記載の化合物。
【請求項３】
Ｒ1が水素又はＣｌであり、
Ｒ2及びＲ3が独立に水素、ｐ−メチル、ｍ−メチル及びフッ素から選択され、
Ｒ4及びＲ5が独立に水素、メチル、エチル及びＣ1-3フルオロアルキルから選択されるか、或いはこれらが結合したＺ基と共にシクロプロピル、４−メチルピペラジン又はアゼチジルを形成する、請求項２記載の化合物。
【請求項４】
（ｉ）Ｒ1〜Ｒ4が水素であり、Ｒ5がエチルであり、ＸがＣＨであり、ＹがＣＨ＝ＣＨであり、ＺがＮであるか、或いは
（ｉｉ）Ｒ1が塩素であり、Ｒ2〜Ｒ4が水素であり、Ｒ5がエチルであり、ＸがＣＨであり、ＹがＣＨ＝ＣＨであり、ＺがＮであるか、或いは
（ｉｉｉ）Ｒ1〜Ｒ3が水素であり、Ｒ4及びＲ5がエチルであり、ＸがＮであり、Ｙが２−Ｓであり、ＺがＮであるか、或いは
（ｉｖ）Ｒ1及びＲ3が水素であり、Ｒ2がｐ−メチルであり、Ｒ4及びＲ5がメチルであり、ＸがＮであり、ＹがＣＨ＝ＣＨであり、ＺがＮである、請求項３記載の化合物。
【請求項５】
前記イメージング成分が、
（ｉ）γ放出型放射性ハロゲン、
（ｉｉ）陽電子放出型放射性非金属、
（ｉｉｉ）過分極ＮＭＲ活性核、
（ｉｖ）インビボ光学イメージングに適したレポーター、及び
（ｖ）血管内検出に適したβ放射体
から選択される、請求項１乃至請求項４のいずれか１項記載の化合物。
【請求項６】
前記イメージング成分が、123Ｉ、131Ｉ及び77Ｂｒから選択されるγ放出型放射性ハロゲンである、請求項５記載の化合物。
【請求項７】
前記γ放出型放射性ハロゲンが123Ｉである、請求項６記載の化合物。
【請求項８】
前記イメージング成分が、11Ｃ、13Ｎ、18Ｆ及び124Ｉから選択される陽電子放出型放射性非金属である、請求項５記載の化合物。
【請求項９】
前記陽電子放出型放射性非金属が11Ｃ又は18Ｆである、請求項８記載の化合物。
【請求項１０】
請求項１乃至請求項９のいずれか１項記載の化合物を製造するための前駆体であって、当該前駆体がイメージング成分での標識に適した化学基を含むように誘導体化された式Ｉの化合物であり、前記化学基が
（ｉ）トリアルキルスタンナン又はトリアルキルシランのような有機金属誘導体、
（ｉｉ）求核置換用のアルキルハライド、アルキルトシレート又はアルキルメシレートを含む誘導体、
（ｉｉｉ）求核又は求電子置換に向けて活性化された芳香環を含む誘導体、或いは
（ｉｖ）チオール含有化合物をアルキル化してチオエーテル含有生成物を与える誘導体
からなる、前駆体。
【請求項１１】
イメージング成分での標識に適した化学基を含むように誘導体化された前記式Ｉの化合物が、以下の式Ｉｉ〜Ｉｖのいずれかの化合物である、請求項１０記載の前駆体。
【化２】
2009538894.tif 000002
式中、Ｒ1〜Ｒ5、Ｘ、Ｙ及びＺは請求項１乃至請求項３で定義した通りであり、ＣＧは前記化学基を表す。
【請求項１２】
請求項１乃至請求項９のいずれか１項記載の化合物或いはその塩又は溶媒和物を、哺乳動物への投与に適した形態の生体適合性担体と共に含んでなる医薬品組成物。
【請求項１３】
化合物が放射性イメージング成分であるイメージング成分を含む、請求項１２記載の医薬品組成物。
【請求項１４】
請求項１０又は請求項１１記載の前駆体を含んでなるキットであって、当該キットがそれぞれ請求項１２又は請求項１３記載の医薬品組成物の製造に適している、キット。
【請求項１５】
インビボ診断又はイメージング方法で使用するための、請求項１乃至請求項９のいずれか１項記載の化合物。
【請求項１６】
前記方法がＰＢＲ状態のインビボ診断又はイメージングのためのものである、請求項１５記載の化合物。
【請求項１７】
請求項１乃至請求項９のいずれか１項記載の化合物を含む、ＰＢＲ状態のインビボ診断又はイメージング用医薬品組成物。
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
β細胞変性の処置のための医薬の製造におけるＧＰＲ１１９アゴニストの使用。
【請求項２】
ＧＰＲ１１９アゴニストが、β細胞機能の悪化および／またはアポトーシスまたはネクローシスによるβ細胞の喪失を阻害または減少させることによりβ細胞変性を処置する、請求項１記載の使用。
【請求項３】
ＧＰＲ１１９アゴニストがβ細胞の数またはサイズを増大させる、請求項１記載の使用。
【請求項４】
ＧＰＲ１１９アゴニストが、膵細胞をランゲルハンス島の機能的に活性な細胞に増殖させる、および／または非感受性のまたは傷害を受けた膵細胞をランゲルハンス島の機能的に活性な細胞に転換させる、請求項３記載の使用。
【請求項５】
前糖尿病状態の２型糖尿病への進行を遅らせるための医薬の製造におけるＧＰＲ１１９アゴニストの使用。
【請求項６】
２型糖尿病の進行を遅らせるための医薬の製造におけるＧＰＲ１１９アゴニストの使用。
【請求項７】
ＧＰＲ１１９アゴニストが経口で作用する小分子である、請求項１〜６のいずれかに記載の使用。
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
i)分化可能細胞、分化可能細胞の細胞抽出物、および卵の細胞抽出物、またはこれらの組み合わせからなる群より選択される細胞成分、ならびにii)該細胞もしくは該卵とは異なる供給源に由来する脂質成分を含む組成物。
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
対話型システムであって、
商品の第１の側に向いた切り換え可能な鏡を有し、前記商品は、見る人に向いた第２の側を有し、
前記商品の前記第１の側が前記切り換え可能な鏡からの反射光を介して前記見る人に見える状態になるよう透明な状態から反射状態への前記鏡の切り換えを行うよう構成されたプロセッサを有する、
ことを特徴とする対話型システム。
【請求項２】
前記商品の前記第１の側を照明するために前記反射状態にある前記切り換え可能な鏡からの反射光が得られるよう入射光を前記切り換え可能な鏡に提供する光源を更に有する、
請求項１記載の対話型システム。
【請求項３】
前記光源は、発光ダイオード、白熱光源、蛍光光源、ハロゲン光源、及び高輝度放電光源の少なくとも１つを含む、
請求項２記載の対話型システム。
【請求項４】
前記プロセッサは、前記見る人が前記商品を選択したことに応答して前記切り換えを実施するよう構成されている、
請求項１記載の対話型システム。
【請求項５】
前記商品は、前記商品に対する指差し及び注視の一方又はディスプレイからの前記商品 の選択により前記見る人によって選択可能である、
請求項１記載の対話型システム。
【請求項６】
前記指差し及び前記注視の少なくとも一方を検出するよう構成された検出器を更に有する、
請求項５記載の対話型システム。
【請求項７】
前記切り換え可能な鏡は、鏡及び前記鏡と前記商品との間に配置された切り換え可能なパネルを含む、
請求項１記載の対話型システム。
【請求項８】
前記切り換え可能なパネルは、透明状態と非透明状態との間で切り換え可能である、
請求項１記載の対話型システム。
【請求項９】
前記切り換え可能なパネルは、偏光子を含む、
請求項１記載の対話型システム。
【請求項１０】
物品を強調表示する方法であって、
前記物品を選択するステップと、
前記選択ステップに応答して、切り換え可能な鏡を透明状態から反射状態に切り換えて前記物品が強調表示状態になるようにするステップとを有する、
ことを特徴とする方法。
【請求項１１】
前記物品は、光源からの照明によって強調表示状態になる、
請求項１０記載の方法。
【請求項１２】
前記光源は、前記物品の後側を照明するために前記反射状態にある前記切り換え可能な鏡からの反射光が得られるよう入射光を前記切り換え可能な鏡に提供する、
請求項１１記載の方法。
【請求項１３】
前記選択ステップは、前記物品に対する指差し及び注視の一方又はディスプレイからの前記物品の選択を用いて複数個の物品の中から前記物品を選択するステップを含む、
請求項１０記載の方法。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
患者の歯にブラケットを固着するパッド（３）、矯正用ワイヤ（９）を受け入れるスロット（７）を有するブラケット本体（５）、並びに、前記ワイヤ（９）を案内するワイヤガイド面（１１Ｆ）を有し、前記ワイヤ（９）をワイヤガイド（１１）に挿入する横方向挿入区域（１３）に割り当てられたチャネル状のワイヤガイド（１１）を有するブラケット（１）であって、前記挿入区域（１３）が、前記ワイヤ（９）の長手方向で、そこを介して前記ワイヤ（９）を弾性的に変形された状態で前記ワイヤガイド（１１）に挿入することができる湾曲区画（１３Ａ）を有し、それによって前記ワイヤ（９）が、直線状態に形状が戻ると前記ワイヤガイド（１１）内で係止され、前記ワイヤガイド面（１１Ｆ）が前記ワイヤ（９）を円形状に取り囲み、それによって前記ワイヤ（９）が、前記ワイヤガイド面（１１Ｆ）によって前記ワイヤガイド（１１）内で長手方向に置換可能な形で保持され、前記ワイヤガイド（１１）から横方向に逸脱しないように固定されることを特徴とする、ブラケット（１）。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
ハンドル部ならびにブラシ部材を備える歯間ブラシであって、
前記ブラシ部材は、前記ハンドル部の前端から突出し、当該ハンドル部は、本体部ならびに、復元力を有する移行部を備え、当該移行部は、前記ハンドル部の前記前端を形成し、
当該ハンドル部は、さらに、前記移行部内に中空の空洞を備えること、
を特徴とする歯間ブラシ。
【請求項２】
請求項１に基づく歯間ブラシにおいて、前記ハンドル部の前記本体部は、硬いこと、
を特徴とする歯間ブラシ。
【請求項３】
請求項１または請求項２に基づく歯間ブラシにおいて、前記中空の空洞は、空気で充たされること、
を特徴とする歯間ブラシ。
【請求項４】
前述のいずれかの請求項に基づく歯間ブラシにおいて、前記中空の空洞は、密閉されること、
を特徴とする歯間ブラシ。
【請求項５】
請求項４に基づく歯間ブラシにおいて、前記中空の空洞は、前記ハンドル部の前記本体部とともに前記移行部によって、密閉されること、
を特徴とする歯間ブラシ。
【請求項６】
請求項４に基づく歯間ブラシにおいて、前記中空の空洞は、前記移行部のみによって密閉されること、
を特徴とする歯間ブラシ。  
【請求項７】
前述のいずれかの請求項に基づく歯間ブラシにおいて、前記中空の空洞の体積は、前記移行部が外部の力を受けた場合に減少すること、
を特徴とする歯間ブラシ。
【請求項８】
前述のいずれかの請求項に基づく歯間ブラシにおいて、前記ブラシ部材は、前記移行部ならびに前記中空の空洞を通じて伸張し、前記ハンドル部の前記本体部に固定される、脊椎を備えること、
を特徴とする歯間ブラシ。
【請求項９】
請求項８に基づく歯間ブラシにおいて、前記移行部の先端は、外部の力を受けた場合、前記脊椎に沿って細くなるよう構成されること、
を特徴とする歯間ブラシ。
【請求項１０】
請求項１〜９のいずれかの請求項に基づく歯間ブラシにおいて、前記移行部は、その先端に向かって先細であること、
を特徴とする歯間ブラシ。
【請求項１１】
請求項１〜１０のいずれかの請求項に基づく歯間ブラシにおいて、前記移行部は、前記本体部に固定されること、
を特徴とする歯間ブラシ。
【請求項１２】
請求項１１に基づく歯間ブラシにおいて、前記移行部は、機械的手段により前記本体部に固定されること、
を特徴とする歯間ブラシ。
【請求項１３】
請求項１２に基づく歯間ブラシにおいて、前記機械的手段は、インターロッキングメカニズムを備えること、
を特徴とする歯間ブラシ。
【請求項１４】
請求項１３に基づく歯間ブラシにおいて、前記移行部は、前記本体部の凹部内に組み込まれ、前記インターロッキングメカニズムは、前記凹部の内側に突出部を係合させる前記移行部の外側に突出フランジを備えること、
を特徴とする歯間ブラシ。
【請求項１５】
請求項１〜１４のいずれかの請求項に基づく歯間ブラシにおいて、前記ハンドル部の前記本体部は、２つの半分部分を備えること、
を特徴とする歯間ブラシ。
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
神経刺激システムであって、
パルス発生器を含む神経刺激移植体と、
前記神経刺激移植体を血管内の留置位置において留置するように前記血管の壁に係合可能なアンカーと、
前記神経刺激移植体と交信する少なくとも一つの電極とを備え、この電極は患者の身体内に配置可能であり、この電極に少なくとも一つの刺激パルスを神経系対象へ送達させる神経刺激システム。
【請求項２】
請求項１に記載の神経刺激システムにおいて、前記神経刺激移植体は約１５ｍｍ以下の範囲の断面横断径を有する神経刺激システム。
【請求項３】
請求項１に記載の神経刺激システムにおいて、前記神経刺激移植体は約８ｍｍ以下の範囲の断面横断径を有する神経刺激システム。
【請求項４】
請求項１に記載の神経刺激システムにおいて、前記神経刺激移植体は約５−１７５ｍｍ２以下の範囲の断面積を有する神経刺激システム。
【請求項５】
請求項１に記載の神経刺激システムにおいて、前記神経刺激移植体は約４０ｍｍ２未満の範囲の断面積を有する神経刺激システム。
【請求項６】
請求項１に記載の神経刺激システムにおいて、前記神経刺激移植体から延出するリードを更に含み、前記電極はこのリードにある神経刺激システム。
【請求項７】
請求項１に記載の神経刺激システムにおいて、複数の電極を含む神経刺激システム。
【請求項８】
請求項１に記載の神経刺激システムにおいて、複数のリードを更に含み、前記複数の電極は前記複数のリードにある神経刺激システム。
【請求項９】
請求項１に記載の神経刺激システムにおいて、血管壁に接触するように径方向へ拡大可能な部材を更に含み、前記電極を径方向に拡張可能な部材を更に含む神経刺激システム。
【請求項１０】
請求項９に記載の神経刺激システムにおいて、前記部材の上の電気的に絶縁された複数の電極を更に含む神経刺激システム。
【請求項１１】
請求項９に記載の神経刺激システムにおいて、前記部材が前記血管壁に係合して前記神経刺激デバイスを前記血管内に保持するように寸法付けされている神経刺激システム。
【請求項１２】
請求項１に記載の神経刺激システムにおいて、前記システムは、身体状態を検出するように配置されたセンサデバイスを含む神経刺激システム。
【請求項１３】
請求項１２に記載の神経刺激システムにおいて、前記センサデバイスは前記神経刺激移植体上にある神経刺激システム。
【請求項１４】
請求項１２に記載の神経刺激システムにおいて、前記センサデバイスは前記神経刺激移植体に結合されて、留置位置から離間した身体内の位置に配置可能である神経刺激システム。
【請求項１５】
請求項１２に記載の神経刺激システムにおいて、前記センサデバイスが神経刺激移植体と無線交信する神経刺激システム。
【請求項１６】
請求項１２に記載の神経刺激システムにおいて、前記センサデバイスが体外センサである神経刺激システム。
【請求項１７】
請求項１２に記載の神経刺激システムにおいて、前記センサは患者の体内に移植するように構成されている神経刺激システム。
【請求項１８】
請求項１２に記載の神経刺激システムにおいて、前記神経刺激移植体は、前記センサデバイスからのフィードバックに応答して少なくとも一つの神経刺激パルスを送達するように構成されている神経刺激システム。
【請求項１９】
請求項１に記載の神経刺激システムにおいて、前記神経刺激移植体と無線交信する体外交信デバイスを更に含む神経刺激システム。
【請求項２０】
請求項１に記載の神経刺激システムにおいて、前記神経刺激移植体が再充電可能電源を含むと共に、前記システムは、前記再充電可能電源にエネルギを誘導結合させるように配置可能な外部充電デバイスとを更に含む神経刺激システム。
【請求項２１】
請求項１に記載の神経刺激システムにおいて、貯蔵器と、この貯蔵器から身体へ薬剤を解放するポートとを含む薬剤送達移植体を更に含む神経刺激システム。
【請求項２２】
請求項２１に記載の神経刺激システムにおいて、前記薬剤送達移植体は前記神経刺激移植体を含み、前記貯蔵器は前記神経刺激移植体内に配置可能である神経刺激システム。
【請求項２３】
請求項２１に記載の神経刺激システムにおいて、前記薬剤送達移植体が前記神経刺激移植体と無線交信する神経刺激システム。
【請求項２４】
請求項２１に記載の神経刺激システムにおいて、前記薬剤送達移植体がアンカーを含む脈管内薬剤送達移植体であり、そのアンカーは、前記移植体を第２の血管内に留置させるように、拡張可能であり、前記薬剤送達移植体は第２の血管内の血液流を可能とするように寸法付けられている神経刺激システム。
【請求項２５】
請求項２１に記載の神経刺激システムにおいて、センサデバイスを更に含み、前記神経刺激システムは、前記センサデバイスからのフィードバックに応答して、前記薬剤送達移植体からの薬剤及び／又は電極からの少なくとも一つの神経刺激パルスを選択的に送達する神経刺激システム。
【請求項２６】
請求項２１に記載の神経刺激システムにおいて、センサデバイスを更に含み、前記神経刺激システムは、前記センサデバイスからのフィードバックに応答して、前記薬剤送達移植体からの薬剤を選択的に送達すると共に、前記神経刺激移植体は、前記センサデバイスからのフィードバックとは独立に、少なくとも一つの神経刺激パルスを送達するように操作可能である神経刺激システム。
【請求項２７】
請求項２１に記載の神経刺激システムにおいて、センサデバイ スを更に含み、前記神経刺激システムは、前記センサデバイスからのフィードバックに応答して、前記神経刺激移植体からの少なくとも一つの神経刺激パルスを 選択的に送達すると共に、前記薬剤送達移植体は、前記センサデバイスからのフィードバックとは独立に、薬剤を送達するように操作可能である神経刺激システ ム。
【請求項２８】
請求項２１に記載の神経刺激システムにおいて、センサデバイスを更に含み、前記神経刺激システムは、このセンサデバイ スからのフィードバックに応答して、前記薬剤送達移植体からの薬剤又は前記神経刺激移植体からの少なくとも一つの神経刺激パルスを選択的に送達する神経刺激システム。
【請求項２９】
請求項６に記載の神経刺激システムにおいて、前記リードを第２の血管内に留置するように、拡張可能な第２のアンカーを更に含む神経刺激システム。
【請求項３０】
請求項２９に記載の神経刺激システムにおいて、前記電極が前記アンカーにある神経刺激システム。
【請求項３１】
請求項２９に記載の神経刺激システムにおいて、前記神経刺激移植体は、前記電極から刺激エネルギを第２の血管の壁を通じて神経系対象へ送達させる神経刺激システム。
【請求項３２】
請求項６に記載の神経刺激システムにおいて、前記リードは血管を通じて前記神経系対象に接触するように前進可能なチップを含む神経刺激システム。
【請求項３３】
請求項３２に記載の神経刺激システムにおいて、第２のアンカーを更に含み、この第２のアンカーは第２の血管内で拡張可能であり、前記チップと前記神経系対象との間の接触を維持する神経刺激システム。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
心臓弁輪の形状を変更するための装置であって、
長軸と、遠位端と、近位端と、複数のコイルとを有する少なくとも１つの螺旋アンカを備え、
前記少なくとも１つの螺旋アンカの遠位端は、尖った先端部分を有し、
前記少なくとも１つの螺旋アンカのコイルは、前記螺旋アンカの長さに沿って連通する内部チャネルを定め、
前記装置は、さらに、
第１の端部および第２の端部を有する細長い柔軟なテザーを備え、該テザーは前記少なくとも１つの螺旋アンカの内部チャネルに挿入可能である、
ことを特徴とする装置。
【請求項２】
前記テザーがループを形成するように、前記テザーの第１の端部および第２の端部を固定する手段をさらに含む、
請求項１に記載の装置。
【請求項３】
前記テザーの前記第１の端部および第２の端部を固定する手段が、スネルの結び目である、
請求項２に記載の装置。
【請求項４】
前記テザーの第１の端部および第２の端部を固定する手段が、前記少なくとも１つの螺旋アンカの内部チャネルを通過することができないような大きさと形状を有する、少なくとも１つのストップ部材であり、
前記少なくとも１つのストップ部材は、それを通過する少なくとも１つのテザーチャネルを有し、前記テザーは、その少なくとも一部に沿って離間した複数の固定部材をさらに備えている、
請求項２に記載の装置。
【請求項５】
前記少なくとも１つのテザーチャネルを有する少なくとも１つのストップ部材が、２つのテザーチャネルを有する単一のストップ部材である、
請求項４に記載の装置。
【請求項６】
前記少なくとも１つのテザーチャネルを有する少なくとも１つのストップ部材が、２つのストップ部材であり、それぞれが単一のテザーチャネルを有する、
請求項４に記載の装置。
【請求項７】
心臓弁輪を修正するためのシステムであって、
送出管腔と、遠位端と、近位端とを有する少なくとも１つの細長い、略チューブ状の送出部材と、
前記送出管腔に移動可能に挿入された、遠位端および近位端を有する少なくとも１つの細長いドライバと、
少なくとも１つのアンカガイドと、
請求項１ないし６のいずれか１項に記載の装置と、を備え、
前記テザーが、該テザーの第１の端部および第２の端部の一方が、前記送出部材の遠位端から伸び、前記テザーの第１の端部または第２の端部の他方が、前記送出部材の近位端から近位方向に伸びるように、前記システムへ挿入可能である、
ことを特徴とするシステム。
【請求項８】
前記少なくとも１つのアンカガイドが、前記少なくとも１つの送出部材の遠位端に取り付けられ、
前記少なくとも１つのアンカガイドが、心臓弁の少なくとも一部の湾曲に一致する形状をしている、
請求項７に記載のシステム。
【請求項９】
前記少なくとも１つのアンカガイドが、前記送出管腔の遠位開口部を越えて伸びる前記少なくとも１つの送出部材の遠位端の延長であり、
前記少なくとも１つのアンカガイドが、心臓弁の少なくとも一部の湾曲に一致する形状を有している、
請求項７に記載のシステム。
【請求項１０】
前記少なくとも１つのドライバが、そこを介して連通するアンカガイド管腔を有する略チューブ状の細長い柔軟な部材であり、前記少なくとも１つのアンカガイドが、前記アンカガイド管腔に挿入され、
前記アンカガイドが、前記テザーを受ける管腔を有し、
前記少なくとも１つのアンカガイドが、前記ガイド管腔の送出位置と配置位置との間で移動可能であり、前記少なくとも１つのアンカガイドは、前記少なくとも１つの送出部材の遠位端から伸びる、
請求項７に記載のシステム。
【請求項１１】
前記少なくとも１つの送出部材が、その少なくとも一部に沿って伸展するテザー管腔をさらに含み、前記テザー管腔は、前記少なくとも１つの送出部材の遠位端に隣接して位置する遠位開口部と、前記少なくとも１つの送出部材の近位端より遠位に位置する近位開口部とを有し、前記テザーが前記テザー管腔に挿入可能である、
請求項７に記載のシステム。
【請求項１２】
前記少なくとも１つの螺旋アンカを前記少なくとも１つのドライバの遠位端に解放可能に連結する手段をさらに備えている、
請求項７に記載のシステム。
【請求項１３】
前記少なくとも１つのドライバの遠位端が、前記少なくとも１つの螺旋アンカを解放可能に保持するための螺旋アンカ受入部分を含み、前記少なくとも１つの螺旋アンカが、前記螺旋アンカ受入部分に挿入可能なドライバ部分を備えている、
請求項１２に記載のシステム。
【請求項１４】
前記少なくとも１つの送出部材の遠位端の一部が、ほぼ直線の挿入構造体と湾曲した送出構造体との間で移動可能である、
請求項７に記載のシステム。
【請求項１５】
前記少なくとも１つのアンカガイド部分が、前記テザーを受け入れる管腔を有する柔軟な操舵可能部材である、
請求項７に記載のシステム。
【請求項１６】
前記少なくとも１つの送出部材の近位端に取付けられたハンドルと、前記少なくとも１つのドライバの近位端にあるトルクノブとをさらに備えている、
請求項７に記載のシステム。
【請求項１７】
前記少なくとも１つの送出部材が複数の送出部材を備え、前記少なくとも１つのドライバが複数のドライバを備え、前記少なくとも１つのアンカガイドが複数のアンカガイドを備え、前記少なくとも１つの螺旋アンカが複数の螺旋アンカを備えている、
請求項７に記載のシステム。
【請求項１８】
前記少なくとも１つの螺旋アンカが、複数の螺旋アンカを備えている、
請求項７に記載のシステム。
【請求項１９】
前記少なくとも１つのアンカガイドが、複数のアンカガイドを備え、
前記複数のアンカガイドのそれぞれが、心臓弁輪の特定の部分に一致する形状を有している、
請求項７に記載のシステム。
【請求項２０】
前記少なくとも１つのドライバが、心臓弁輪を介し、前記少なくとも１つのアンカガイドに沿って前記少なくとも１つの螺旋アンカを駆動するために、前記少なくとも１つの送出部材内で回転自在に軸方向に移動可能である、
請求項７に記載のシステム。
【手続補正書】
【提出日】平成22年1月25日(2010.1.25)
【手続補正１】
【補正対象書類名】明細書
【補正対象項目名】特許請求の範囲
【補正方法】変更
【補正の内容】
【特許請求の範囲】
【請求項１】
送達される第１、第２の流体のための第１、第２の貯蔵部と、
前記第１の流体を前記第１の貯蔵部の導出口を通って導入針内に流出させ、第２の流体を、導入針内に延びる流体送達チューブ内に前記第２の貯蔵部の導出口から流出させる作動組立体と、
送達装置内の流体圧力を測定するよう送達装置に連結されたハウジング内に収容された圧力モニタと、を具備し、
送達装置が第１及び第２の流体を経皮的に注入するようにでき、且つ送達装置が手動で使用するようにできる、生体適合性のある封止剤を送達するための装置。
【請求項２】
前記圧力モニタが、取手の上方で装置の後方に向かって配置される表示器を具備する請求項１記載の装置。
【請求項３】
前記圧力モニタが、少なくとも１つの貯蔵部に操作可能に取り付けられる圧力トランスジューサを有する請求項１記載の装置。
【請求項４】
流体圧力が付与された水準に達すると、前記圧力モニタが警告をする請求項１記載の装置。
【請求項５】
前記圧力モニタが、付与された最大圧力に設定されるように適合された請求項１記載の装置。
【請求項６】
流体圧力が付与された水準に達すると、前記圧力モニタは前記流体の圧力がさらに増加することを停止させる請求項１記載の装置。
【請求項７】
前記流体送達チューブが、前記導入針の端部から突出しない請求項１記載の装置。
【請求項８】
前記導入針が前記接続器から遠位の先端を有し、前記流体送達チューブの先端が前記導入針の先端から１ｍｍを超えないように延在している請求項１記載の装置。
【請求項９】
前記流体送達チューブは、使用の間に、前記流体送達チューブが前記導入針の範囲内でヒトの椎間板の椎間板内空間の中に延在するような長さである請求項１記載の装置。
【請求項１０】
前記車輪組立体は、それぞれが前記内側の車輪よりも直径が小さい２つの外側の歯の付いた車輪の間に挟まれた内側の歯の付いた車輪を有する請求項１記載の装置。
【請求項１１】
前記駆動ラックは、手動の圧力が引き金にかかると前記車輪組立体と係合し、圧力が前記引き金から開放されると前記車輪組立体との係合が外れる請求項１記載の装置。
【請求項１２】
流体を前記貯蔵部内に導入するための充填マニフォールドをさらに有し、前記充填マニフォールドは前記装置の前記アダプタに連結する充填マニフォールドアダプタを有し、前記充填マニフォールドアダプタは、前記アダプタの導出口にそれぞれが連結する少なくとも２つの導出口と、少なくとも２つのシリンジと、少なくとも２つの導管とを有し、前記導管の１つの端部は前記シリンジに接続し、別の導管の第２の端部が前記充填マニフォールドアダプタの導出口に接続する請求項１記載の装置。
【請求項１３】
送達される流体のための少なくとも２つの貯蔵部と、前記流体を前記貯蔵部の導出口を通って前記貯蔵部から流出させる作動組立体と、請求項１乃至１２のいずれか１に記載のフィブリン封止材送達装置内の流体圧力を測定するように該フィブリン封止材送達装置に連結された圧力モニタとを組み立てるステップを具備する、フィブリン封止剤を送達するための装置を製造するための方法。
【請求項１４】
フィブリノゲンと、活性化化合物と、フィブリン封止剤をヒト椎間板内に注入するための請求項１乃至１２のいずれか１に記載のフィブリン封止剤送達装置とを有するキット。
【請求項１５】
フィブリノゲン成分と、活性化化合物と、フィブリン封止剤をヒト椎間板内に注入するための請求項１乃至１２のいずれか１に記載のフィブリン封止剤送達装置とを提供するステップを有する、キットを形成するための方法。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
癌免疫療法に対する応答者又は非応答者の患者を同定する方法であって、
(a) CCL5の示差的発現について患者由来サンプルを分析する工程と、
(b) 工程(a)の結果に基づいて、サンプルが由来した前記患者を、応答者又は非応答者として特性評価する工程と、
を含み、CCL5の発現が上方調節されている場合には前記患者を応答者として特性評価し、且つ該特性評価を標準物に対する参照又は比較により実施する、前記方法。
【請求項２】
標準物が公知の臨床結果を有するサンプルである、請求項１に記載の方法。
【請求項３】
比較を、アルゴリズムを用いて実施する、請求項２に記載の方法。
【請求項４】
MAGE免疫療法に対する応答者又は非応答者の特性評価のためのCCL5の示差的発現の同定におけるプローブの使用。
【請求項５】
免疫療法がMAGE抗原特異的癌免疫療法である、請求項１〜３のいずれか１項に記載の方法又は請求項４に記載の使用。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
緩衝水溶液と、ヤング率が少なくとも約10キロパスカルであり、膨潤能が約20% v/v未満である固体かつ非生分解性ポリマー材料とを含む膨張可能部材を含む、医療装置。
【請求項２】
前記ポリマー材料が、少なくとも約100キロパスカルのヤング率を有する、請求項１記載の医療装置。
【請求項３】
前記ポリマー材料が、少なくとも約10MPaのヤング率を有する、請求項１記載の医療装置。
【請求項４】
前記緩衝水溶液が、材料に分散されている、又は材料と部分的に分けられている、請求項２記載の医療装置。
【請求項５】
前記水溶液が、水性溶媒の重量に対して約0.1重量部から約1重量部のポリマー前駆体の範囲で存在する、請求項４記載の装置。
【請求項６】
前記材料が、100MWのポリエチレンオキシドを含むポリマーを含む、請求項４記載の装置。
【請求項７】
前記材料がポリアクリレートを含む、請求項４記載の装置。
【請求項８】
前記材料が、2つのタイプの官能基の反応生成物を含む、請求項４記載の装置。
【請求項９】
前記材料が、分子量が少なくとも約10000である第1のポリマー部分と、分子量が約1000未満である第2のポリマー部分とを含む、請求項４記載の装置。
【請求項１０】
前記材料を画像化するための放射線不透過性薬剤をさらに含む、請求項４記載の装置。
【請求項１１】
前記膨張可能部材が、バルーン又はカフを含む、請求項４記載の装置。
【請求項１２】
前記ポリマー材料が、10% v/v、5% v/v又は1% v/v未満の膨潤能を有する、請求項１〜１１のいずれかに記載の装置。
【請求項１３】
前記ポリマー材料が、少なくとも5、10、15、20、又は30年の期間にわたって、その力学的性質を維持する、請求項１〜１２のいずれか１項記載の装置。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
組換えタンパク質を生産する方法であって、
宿主シュードモナス・フルオレセンス菌においてほとんど使用されない合成ポリヌクレオチド配列由来のレアコドンを同定する段階であって、前記合成ポリヌクレオチドはタンパク質をコードするヌクレオチドを含有し；
前記レアコドンを変更して、前記シュードモナス・フルオレセンス菌における前記合成ポリヌクレオチドの配列を最適化する段階と；
前記最適化された合成ポリヌクレオチド配列を発現ベクターに連結する段階と；
前記宿主シュードモナス・フルオレセンス菌を前記発現ベクターで形質転換する段階と；
前記形質転換された宿主シュードモナス・フルオレセンス菌を前記タンパク質の発現に適した好適な培地において培養する段階と；および
前記タンパク質を単離する段階と
を含む、方法。
【請求項２】
前記宿主シュードモナス・フルオレセンス菌における異種発現のために前記合成ポリヌクレオチド配列を最適化する段階が、
前記合成ポリヌクレオチド配列由来の推定内部リボソーム結合部位配列を同定及び変更する段階；
前記合成ポリヌクレオチド配列由来のＧ又はＣヌクレオチドの伸長リピートを同定及び変更する段階；
前記合成ポリヌクレオチド配列のＲＢＳ及び遺伝子コード領域におけるｍＲＮＡ二次構造を同定及び最小化する段階；
前記合成ポリヌクレオチド配列由来の望ましくない酵素制限部位を同定及び変更する段階；
前記シュードモナス・フルオレセンス菌ゲノム中における出現が１０％未満であるコドンを同定及び変更する段階；
前記シュードモナス・フルオレセンス菌ゲノム中における出現が５％未満であるコドンを同定及び変更する段階；または
発現を増加させるために前記合成ポリヌクレオチド配列由来のコドンを同定及び変更する段階；
をさらに含む、請求項１に記載の方法。
【請求項３】
前記レアコドンを変更する段階が、前記レアコドンを高頻度で出現するコドンに置き換える段階を含む、請求項１に記載の方法。
【請求項４】
組換えタンパク質を生産する方法であって、
前記宿主シュードモナス属(Pseudomonas)細菌においてほとんど使用されない、前記合成ポリヌクレオチド配列由来のレアコドンを同定及び変更する段階と；
前記合成ポリヌクレオチド配列由来の推定内部リボソーム結合部位配列を同定及び変更する段階と；
前記合成ポリヌクレオチド配列由来のＧ又はＣヌクレオチドの伸長リピートを同定及び変更する段階と；
前記合成ポリヌクレオチド配列のＲＢＳ及び遺伝子コード領域におけるｍＲＮＡ二次構造を同定及び最小化する段階と；
最適化された合成ポリヌクレオチド配列を形成するために前記合成ポリヌクレオチド配列由来の望ましくない酵素制限部位を同定及び変更する段階と；
前記最適化された合成ポリヌクレオチド配列を発現ベクターに連結する段階と；
前記宿主シュードモナス属細菌を前記最適化された合成ポリヌクレオチド配列と連結された前記発現ベクターで形質転換する段階と；
前記形質転換された宿主シュードモナス属細菌を前記タンパク質の発現に適した好適な培地において培養する段階と；
前記タンパク質を単離する段階と
を含む、方法。
【請求項５】
前記宿主シュードモナス属細菌がシュードモナス・フルオレセンスである、請求項４に記載の方法。
【請求項６】
前記宿主シュードモナス属細菌がシュードモナス・フルオレセンス株ＭＢ１０１である、請求項４に記載の方法。
【請求項７】
レアコドンを同定及び変更する段階が、
前記シュードモナス・フルオレセンス菌ゲノム中における出現が１０％未満であるコドンを同定及び変更する段階；または
前記シュードモナス・フルオレセンス菌ゲノム中における出現が５％未満であるコドンを同定及び変更する段階；
を含む、請求項５に記載の方法。
【請求項８】
最適化された遺伝子を解析する方法であって、
シュードモナス・フルオレセンス菌用の遺伝子最適化データベースを提供する段階と；
前記データベースに遺伝子データを入力する段階と；
発現ベクター又は宿主を同定する段階と；
候補遺伝子又は転写ユニットの合成リクエストを提示する段階と；
前記データベースに最適化された遺伝子配列を追加する段階と；
確実に合成リクエストが順守されるように合成された候補遺伝子の１又はそれ以上の合成バージョンを評価する段階と；
前記候補遺伝子の１又はそれ以上の合成バージョンを解析する段階と
を含む、方法。
【手続補正書】
【提出日】平成22年5月19日(2010.5.19)
【手続補正１】
【補正対象書類名】特許請求の範囲
【補正対象項目名】請求項１７
【補正方法】変更
【補正の内容】
【請求項１７】
ＬＳＰステータス情報とネクストホップラベル転送エントリであるＮＨＬＦＥのＮＨＬＦＥ情報を記憶するデータ記憶装置を更に備える
ことを特徴とする請求項１６に記載のシステム。